(57)【要約】  【課題】キャプチャした静止画を表示する際に、番組の最初の方からキャプチャした静止画を蓄積できる。  【解決手段】番組放送時間の中で一定の時間間隔で永久保存画像Ｐ１〜Ｐ４が番組映像信号から順にキャプチャされ、永久保存画像同士の間で、一時保存画像Ｑ１〜Ｑ１１がチャンネル巡回間隔でキャプチャされる。永久保存画像Ｐ１が記憶領域Ｍ１に書き込まれる。一時保存画像Ｑ１〜Ｑ３が記憶領域Ｍ２，Ｍ３，Ｍ４に対して順次書き込まれる。永久保存画像Ｐ２が記憶領域Ｍ５に書き込まれる。永久保存画像Ｐ２の後に、一時保存画像Ｑ４が既に蓄積済みの画像の中で最も古い一時保存画像Ｑ１に対して上書きされる。以下、同様に、新たにキャプチャされた静止画が既に蓄積済みの画像の中で最も古い一時保存画像に対して上書きされる。書き込みと並行して読み出しが時間順になされる。【選択図】図４
2007288642.tif 000002
【特許請求の範囲】
【請求項１】
受信映像信号から第１の静止画をキャプチャすると共に、上記第１の静止画に比してより短い時間間隔で第２の静止画をキャプチャするキャプチャ部と、
上記第１および第２の静止画が順次書き込まれるＮ個の記憶領域を有し、書き込まれた上記第２の静止画のみが上書きされ、書き込まれた上記第１の静止画または上記第２の静止画が元の時間順序で読み出されるように制御される記憶部と
を備えた情報処理装置。
【請求項２】
複数のチャンネルの受信映像信号のそれぞれから上記第１および第２の静止画をキャプチャし、
上記複数のチャンネルのそれぞれに対応して上記記憶部がＮ個の記憶領域を有し、
上記記憶部から読み出された上記複数のチャンネルの画像を合成するようにした請求項１記載の情報処理装置。
【請求項３】
上記合成された複数のチャンネルの画像を同一画面上に同時に表示するために、表示部に対して出力する請求項２記載の情報処理装置。
【請求項４】
一つのチューナの選局動作が上記複数のチャンネルを順次受信するように制御される請求項２記載の情報処理装置。
【請求項５】
上記第１の静止画として上記受信映像信号中のコマーシャルの映像がキャプチャされることを回避する請求項１記載の情報処理装置。
【請求項６】
上記受信映像信号のプログラムの切り替わり時点で、上記記憶部に記憶されている画像データを消去する請求項１記載の情報処理装置。
【請求項７】
受信映像信号から第１の静止画をキャプチャすると共に、上記第１の静止画に比してより短い時間間隔で第２の静止画をキャプチャするキャプチャステップと、
上記第２の静止画のみが上書きされるように、上記第１および第２の静止画を記憶部のＮ個の記憶領域に順次書き込み、書き込まれた上記第１の静止画または上記第２の静止画が元の時間順序で読み出す記憶部の制御ステップと
を備えた情報処理方法。
【発明の詳細な説明】
【技術分野】
【０００１】
この発明は、複数のチャンネルの番組の映像を単一画面上に同時に表示するのに適用して好適な情報処理装置および情報処理方法に関する。
【背景技術】
【０００２】
放送中のテレビジョン番組の中で所望の番組を容易に選択するために、現在放送中の複数の番組映像を単一画面上に同時に表示することが提案されている。特に、リモートコントローラのコマンダを操作して放送中の番組を次々と切り換えるザッピングの場合に、現在放送中の全ての番組映像を同時に表示することは効果的である。多画面表示を実現する一つの方法として、同時に表示する番組数に対応した数のチューナを用意し、各チューナからの複数の番組映像信号を合成して画面上に表示する方法が考えられる。
【０００３】
複数のチューナを用意することは、ハードウェアの規模の増大を招くので、例えば、下記特許文献１には、現在受信可能な複数のチャンネルを順次巡回しながら受信するように、一つのチューナの選局動作を制御し、各チャンネルの受信映像信号中から取り出した静止画を記憶し、記憶した複数の静止画を合成して単一画面上に表示する方法が記載されている。
【０００４】
【特許文献１】特公昭６１−１４７０７号公報
【０００５】
また、下記特許文献２には、一つのチューナで複数チャンネルを巡回して受信し、各チャンネルのキャプチャした所定時間分のオーディオ・映像信号を記憶装置に蓄積し、記憶装置に蓄積された複数のオーディオ・映像信号を合成し、単一画面上に複数の動画を同時に表示する方法が記載されている。また、オーディオ・映像信号を圧縮して蓄積し、再生時に圧縮信号を復号してから合成する例も記載されている。
【０００６】
【特許文献２】特開２００１−６１１１６号公報
【発明の開示】
【発明が解決しようとする課題】
【０００７】
特許文献１に記載の方法は、全チャンネルを巡回する周期毎に１枚の静止画が抜き出されるために、チャンネル数が多かったり、チューナの切り換え動作に必要な時間が比較的長い場合には，表示される画像の更新の頻度が低くなり、ユーザが各チャンネルの番組の内容を認識不充分となる問題があった。また、特許文献２に記載の方法は、複数の動画信号を記憶するために大容量の記憶装置が必要となり、また、動画信号を圧縮してデータ量を減少させた場合には、同時に表示するチャンネル数と同数の伸張部を備える必要があり、ハードウェアの規模が増大する問題があった。
【０００８】
したがって、この発明の目的は、放送中の複数のチャンネルの番組を容易に理解できると共に、ハードウェアの規模が小さくてすむ情報処理装置および情報処理方法を提供することにある。
【課題を解決するための手段】
【０００９】
上述した課題を解決するために、この発明は、受信映像信号から第１の静止画をキャプチャすると共に、第１の静止画に比してより短い時間間隔で第２の静止画をキャプチャするキャプチャ部と、
第１および第２の静止画が順次書き込まれるＮ個の記憶領域を有し、書き込まれた第２の静止画のみが上書きされ、書き込まれた第１の静止画または第２の静止画が元の時間順序で読み出されるように制御される記憶部と
を備えた情報処理装置である。
【００１０】
この発明は、受信映像信号から第１の静止画をキャプチャすると共に、第１の静止画に比してより短い時間間隔で第２の静止画をキャプチャするキャプチャステップと、
第２の静止画のみが上書きされるように、第１および第２の静止画を記憶部のＮ個の記憶領域に順次書き込み、書き込まれた第１の静止画または第２の静止画が元の時間順序で読み出す記憶部の制御ステップと
を備えた情報処理方法である。
【発明の効果】
【００１１】
この発明によれば、受信映像信号から第１の静止画と第２の静止画とをキャプチャする。第２の静止画のキャプチャの間隔は、第１の静止画に比して短い。記憶部には、第１の静止画は、上書きされずに保存され、第２の静止画は、上書きが許容される。したがって、受信映像信号のプログラムの直前の内容のみならず、最初からの内容を第１の静止画によって提示することができ、ユーザがプログラムの内容を理解することが容易となる。
【発明を実施するための最良の形態】
【００１２】
以下、図面を参照しながらこの発明の一実施の形態について説明する。この一実施の形態は、例えばテレビジョン受信装置であり、図１に示す構成を有している。アンテナ１により受信されＲＦ信号がチューナ２に供給される。なお、この発明は、アナログ地上波放送、ディジタル地上波放送（ワンセグメント放送を含む）、ＢＳ(Broadcasting Satellite)放送、ＣＳ(Communicaton Satellite)放送、インターネットテレビジョン等の何れの形式のテレビジョン放送に対しても適用可能であり、チューナ２は、各テレビジョン放送の受信に適合して所望のチャンネルを選局できる機能を有している。
【００１３】
また、以下の説明では、この発明に関連する構成部分について図示し、その説明を行い、通常のテレビジョン放送の視聴のために備えられている構成部分の図示と、その説明については省略する。さらに、チューナ２、情報処理部および表示部が同一機器内に設けられている場合に限らず、ホームネットワーク例えばＤＬＮＡ(Digital Living Network Alliance)経由でチューナからの映像信号を取得する構成も可能である。
【００１４】
チューナ２は、選局制御部１４からのチューナ制御信号ＳＣ２によって選局動作が制御される。チューナ２に供給されたＲＦ信号から受信映像信号が得られ、受信映像信号がキャプチャ部３に供給される。キャプチャ部３は、選局制御部１４からのキャプチャ制御信号ＳＣ３によって制御され、後述するように、受信映像信号から静止画がキャプチャされる。
【００１５】
キャプチャされた静止画信号が記憶部４に蓄積される。記憶部４は、選局制御部１４からの書き込み制御信号ＳＣ４によってその書き込み動作が制御される。記憶部４は、受信可能なチャンネル毎に記憶領域が論理的に分割されており、各領域には、複数の静止画が記憶可能とされている。記憶される静止画データとしては、単一画面上に同時に複数の静止画が表示可能な程度に縮小された静止画が好ましい。画面上の各チャンネルの表示画像のサイズは、分割画面であれば、同時に表示されるチャンネル数（２分割、４分割、９分割等）に関連して定まる。キャプチャ部３において、静止画を縮小画像としてキャプチャするようになされる。映像信号は、ディジタル映像信号であり、記憶部４に蓄積される静止画信号もディジタル信号である。
【００１６】
記憶部４の読み出し動作が表示制御部１５からの読み出し制御信号ＳＣ５によって制御される。記憶部４に蓄積された複数の静止画の中で、同時に単一画面上に表示される複数の静止画に対応する静止画データが記憶部４から読み出されて映像合成部５に供給される。
【００１７】
映像合成部５に対して、表示制御部１５からの合成制御信号ＳＣ６が供給され、映像合成部５が複数の静止画データを所定の表示形態で単一画面上に表示するための表示用映像信号を生成する。なお、記憶部４に対して１画面分の静止画を記憶し、静止画の縮小処理を映像合成部５において行うようにしても良い。映像合成部５からの表示用映像信号が表示部６に供給される。表示部６は、ＬＣＤ（Liquid Crystal Display)等のフラットディ
スプレイ、ブラウン管等の表示素子を使用したものである。表示部６は、通常は、受信映像信号によるプログラム（以下、番組と称する）の映像を表示し、ユーザの指示等が入力されることによって、映像合成部５によって生成された多画面表示用の映像信号を表示する。
【００１８】
１１は、テレビジョン受信装置の全体の動作を制御し、また、ＥＰＧ（Electorical Program Guide)記憶・解析部１３および表示制御部１５を制御するシステムコントローラである。システムコントローラ１１に対して操作部１２からの操作信号が入力される。操作部１２は、スイッチ、リモートコントローラのコマンダからの信号を受信する受信・復号部等である。システムコントローラ１１は、ＣＰＵ（Central Processing Unit）、ＲＡ
Ｍ（Random Access Memory）、ＲＯＭ（Read Only Memory）がシステムバスを通じて接続されたマイクロコンピュータであり、この一実施の形態のテレビジョン受信装置の各部を制御する。ＲＡＭは、処理の途中結果を一時記憶するなど主に作業領域として用いられるものである。ＲＯＭは、ＣＰＵにおいて実行する種々のプログラムや、処理に必要になるデータなどが記憶するものである。
【００１９】
システムコントローラ１１の制御によってＥＰＧ情報が取得され、取得されたＥＰＧ情報がＥＰＧ記憶・解析部１３に記憶され、さらに、ＥＰＧ情報の内容が解析される。ＥＰＧ情報は、テレビジョン放送信号に挿入されているものに限らず、インターネットを介して取得されたものも利用できる。システムコントローラ１１は、ＥＰＧ記憶・解析部１３に対する制御信号を出力する。ＥＰＧ情報の解析によって、各チャンネルの放送番組の放送開始時刻、放送終了時刻、番組のタイトル、番組のジャンル、番組関連情報等の情報が分かる。
【００２０】
ＥＰＧ記憶・解析部１３に記憶されているＥＰＧ情報から番組の開始時刻および終了時刻に対応した番組切り替わり信号ＳＣ１が生成される。番組切り替わり信号ＳＣ１が選局制御部１４に供給される。選局制御部１４がチューナ制御信号ＳＣ２、キャプチャ制御信号ＳＣ３およびメモリ書き込み制御信号ＳＣ４を出力する。
【００２１】
図２は、上述したこの発明の一実施の形態の主要部をより詳細に示す。例えば受信可能なチャンネル数が４の場合に、記憶部４の記憶領域は、チャンネルｃｈ１の複数（Ｎ）枚の静止画を記憶する領域ＲＧ１、チャンネルｃｈ２のＮ枚の静止画を記憶する領域ＲＧ２、チャンネルｃｈ３のＮ枚の静止画を記憶する領域ＲＧ３、およびチャンネルｃｈ４のＮ枚の静止画を記憶する領域ＲＧ４を有している。Ｎの枚数は、多いことが好ましいが、実際には、記憶部４の記憶容量に基づいて決定される。
【００２２】
記憶部４に対して、書き込み制御信号ＳＣ４の制御によって、各チャンネルの受信映像信号からキャプチャされた静止画が自分のチャンネルの記憶領域に対して書き込まれる。記憶部４から読み出し制御信号ＳＣ５の制御によって読み出された静止画が映像合成部５において合成され、１画面の表示用信号が構成される。例えば４分割表示でもって、チャンネルｃｈ１からチャンネルｃｈ４のそれぞれの番組の静止画が表示部６に表示される。
【００２３】
静止画のキャプチャ処理の手順について説明する。選局制御部１４がチャンネルｃｈ１をチューナ２が選局するように、チューナ制御信号ＳＣ２をチューナ２に対して供給する。チャンネルｃｈ１の映像信号がキャプチャ部３に供給される。キャプチャ部３によってキャプチャされた静止画データが記憶部４のチャンネルｃｈ１用の記憶領域に蓄積される。
【００２４】
チャンネル切替および１枚（１フィールドまたは１フレーム）の静止画キャプチャに必要な所定時間ｔ秒（通常、１〜２秒）後にチューナ２がチャンネルｃｈ２を選局するようにチューナ制御信号ＳＣ２によって切り換えられ、チャンネルｃｈ２に関して同様に、静止画がキャプチャされ、キャプチャされた静止画データが記憶部４のチャンネルｃｈ２用の記憶領域に蓄積される。そして、ｔ秒後に同様の動作によってキャプチャされたチャンネルｃｈ３の静止画データが記憶部４のチャンネルｃｈ３用の記憶領域に蓄積される。さらに、ｔ秒後に同様の動作によってキャプチャされたチャンネルｃｈ４の静止画データが記憶部４のチャンネルｃｈ４用の記憶領域に蓄積される。
【００２５】
そして、ｔ秒後に再びチャンネルｃｈ１の静止画データが記憶部４のチャンネルｃｈ１用の記憶領域に蓄積される。取得するチャンネル数４を一般的にｍで表すと、ｍ個のチャンネルの静止画をそれぞれキャプチャするのに要する時間（この時間をチャンネル巡回間隔と称する）がｍｔ秒となる。上述したように、記憶部４の各チャンネルの記憶領域には、それぞれ最大Ｎ枚の静止画データが格納可能とされている。
【００２６】
選局制御部１４から記憶部４に対して供給される書き込み制御信号ＳＣ４は、あるチャンネルの放送番組が放送中であるか否かに応じて記憶部４を制御する。すなわち、あるチャンネルの放送番組が終了すると、記憶部４のそのチャンネル用の記憶領域に記憶されている静止画データが全て破棄（消去）され、無効化されるように、記憶部４が書き込み制御信号ＳＣ４によって制御される。書き込み制御信号ＳＣ４は、ＥＰＧ情報に含まれる番組開始時刻および番組終了時刻を利用して番組の切り替えに対応した信号として形成される。この処理によって、番組が切り替わっても放送済みの番組の画像が表示されることが防止される。
【００２７】
なお、複数チャンネルの番組の映像を表示する形態としては、図３Ａに示す４分割表示に限らず、他の形態が可能である。図３Ｂは、４個のチャンネルの画像を一部重なり合わせて表示する形態である。図３Ｃは、２分割画面の例である。さらに、図３Ｄに示すように、大きさの違う二つの画面に異なるチャンネルの映像を同時に表示することも可能である。２分割の場合では、一方の画面上に視聴中のメインのチャンネルの映像を表示し、他方の画面上に他のチャンネルの映像を表示するようになされ、他のチャンネルの映像に対してこの発明が適用される。さらに、複数の表示形態をユーザが選択可能としても良い。
【００２８】
この発明の一実施の形態では、記憶部４に蓄積する静止画に対して２つの種類、すなわち、第１の画像（永久保存画像と称する）と第２の画像（一時保存画像と称する）とを規定する。永久保存画像は、番組放送中は、永久に保存しておく画像のことであり、一時保存画像は、番組放送中に新たな静止画によって上書きされることが許容される画像のことである。永久保存画像は、番組の最初からの内容を提示することを可能とするために、キャプチャされる間隔が一時保存画像より長いものとされ、永久保存画像のキャプチャされる間隔より短い間隔で一時保存画像がキャプチャされる。永久保存画像は、当該放送番組のダイジェスト画像、すなわち、番組の要約または特徴を示す画像として利用でき、番組の放送中に上書きされることはない。一時保存画像が上書きされる場合には、蓄積されている一時保存画像の中で最も古い一時保存画像が上書きされる。
【００２９】
永久保存画像の決定方法としては、いくつかの方法が可能である。その一例は、番組放送時間を保存可能枚数Ｎで等分した時間毎にキャプチャされた静止画を永久保存画像とする方法である。この場合には、永久保存画像としてキャプチャされたものがＣＭ（コマーシャル）の画像となる可能性があり、その場合には、番組のダイジェスト画像としての機能を果たせなくなる問題が生じる。したがって、永久保存画像としてキャプチャした静止画がＣＭであるか否かを判定または推定し、若し、ＣＭと判定されれば、その静止画を永久保存画像とせずに、ＣＭの長さを考慮した時間、ずれたタイミングでキャプチャした静止画について、ＣＭか否かの判定を再度行い、若し、ＣＭと判定されなければ、その静止画を永久保存画像とする処理が好ましい。ＣＭであるか否かの判定または推定は、従来提案されている方法を使用できる。例えば音声信号の解析による判定、ＥＰＧ情報の番組の時間を補助的に使用した判定、複数の判定方法を組み合わせた判定方法等を使用できる。
【００３０】
他の方法としては、シーンチェンジが判定または推定可能な場合には、シーンチェンジ後の画像を永久保存画像と決定しても良い。この場合においても、ＣＭの画像を避けて永久保存画像を決定することが好ましい。なお、一時保存画像がＣＭ画像となることを回避するようにしても良いが、一時保存画像は、上書きされる一時的なものであるため、ＣＭ画像であっても問題が小さい。
【００３１】
記憶部４の各チャンネルの記憶領域例えばチャンネルＸの記憶領域ＲＧｘに静止画データを蓄積する動作について図４を参照して説明する。書き込み処理は、表示制御部１５からの書き込み制御信号ＳＣ４によって制御される。一例として、Ｎ＝５であり、記憶領域ＲＧｘ中に静止画のそれぞれを記憶するための領域Ｍ１〜Ｍ５が設定されている。図４において、上側にチャンネルＸの番組Ａから番組Ｂの時間的経過が示されており、図４の下側に記憶部４のチャンネルＸの記憶領域ＲＧｘが示されている。チャンネルＸのある番組Ａが時刻Ｔ０で開始し、時刻Ｔ１にて終了する。
【００３２】
番組Ａの放送時間の中で一定の時間間隔で永久保存画像Ｐ１，Ｐ２，Ｐ３，Ｐ４がチャンネルＸの番組映像信号から順にキャプチャされる。永久保存画像Ｐ１〜Ｐ４がキャプチャされる時間間隔は、例えば番組放送時間（Ｔ１−Ｔ０）をＮ（＝５）等分したものに選定することができる。永久保存画像同士の間で、一時保存画像Ｑ１，Ｑ２，・・・・、Ｑ１１が永久保存画像のキャプチャの間隔より短い間隔例えばチャンネル巡回間隔でキャプチャされる。
【００３３】
図４の例では、番組の開始時刻Ｔ０の直後に永久保存画像Ｐ１がキャプチャされ、チャンネル巡回周期（ｍｔ秒）後に最初の一時保存画像Ｑ１がキャプチャされる。永久保存画像のキャプチャされる間隔が例えば４ｍｔ（秒）に設定されており、３枚の一時保存画像Ｑ１，Ｑ２，Ｑ３がキャプチャされると、永久保存画像Ｐ２がキャプチャされる。永久保存画像Ｐ１が記憶部４のチャンネルＸの記憶領域ＲＧｘの記憶領域Ｍ１に書き込まれる。一時保存画像Ｑ１〜Ｑ３が記憶領域Ｍ２，Ｍ３，Ｍ４に対して順次書き込まれる。永久保存画像Ｐ２が記憶領域Ｍ５に書き込まれる。
【００３４】
永久保存画像Ｐ２の後に、同様に、一時保存画像Ｑ４，Ｑ５，Ｑ６が順次キャプチャされる。記憶領域Ｍ１およびＭ５には、永久保存画像Ｐ１およびＰ２が蓄積されているので、一時保存画像Ｑ４が既に蓄積済みの画像の中で最も古い一時保存画像Ｑ１に対して上書きされるように、記憶領域Ｍ２に記憶される。一時保存画像Ｑ５が既に蓄積済みの画像の中で最も古い一時保存画像Ｑ２に対して上書きされるように、記憶領域Ｍ３に記憶される。一時保存画像Ｑ６が既に蓄積済みの画像の中で最も古い一時保存画像Ｑ３に対して上書きされるように、記憶領域Ｍ４に記憶される。そして、永久保存画像Ｐ３がキャプチャされ、永久保存画像Ｐ３が既に蓄積済みの画像の中で最も古い一時保存画像Ｑ４に対して上書きされるように、記憶領域Ｍ２に記憶される。
【００３５】
永久保存画像Ｐ３の後に一時保存画像Ｑ７，Ｑ８，Ｑ９が順次キャプチャされる。既に記憶領域Ｍ１，Ｍ２およびＭ５には、それぞれ永久保存画像Ｐ１，Ｐ３およびＰ２が記憶されているので、一時保存画像Ｑ７が記憶領域Ｍ３に書き込まれ、一時保存画像Ｑ８が記憶領域Ｍ４に書き込まれる。二つの記憶領域しかないので、一時保存画像Ｑ９が記憶領域Ｍ３に蓄積されている古い方の一時保存画像Ｑ７に対して上書きされる。
【００３６】
さらに、永久保存画像Ｐ４がキャプチャされる。永久保存画像Ｐ４が記憶領域Ｍ４に蓄積されている古い方の一時保存画像Ｑ８に対して上書きされる。ここまでの処理の結果、記憶領域Ｍ１，Ｍ２，Ｍ４，およびＭ５のそれぞれに永久保存画像Ｐ１，Ｐ３，Ｐ４およびＰ２が蓄積されている。したがって、永久保存画像Ｐ４に続く一時保存画像Ｑ１０およびＱ１１は、共に記憶領域Ｍ３に書き込まれることになる。
【００３７】
上述した書き込み動作によって、記憶部４のあるチャンネルに割り当てられた記憶領域のＮ個の記憶領域には、番組の時間経過に沿った永久保存画像が順次蓄積され、永久保存画像が未だ蓄積されていない記憶領域に対して最新の一時保存画像が順次蓄積される。チャンネルＸについての書き込み処理と同様に、他のチャンネルに関する書き込み処理がなされる。例えば永久保存画像Ｐ１の直後のｔ秒間で次のチャンネルの番組から永久保存画像がキャプチャされる。一時保存画像Ｑ１がキャプチャされるまでの間でｍ個のチャンネルの永久保存画像がキャプチャされる。そして、チャンネルＸの一時保存画像Ｑ１がキャプチャされてからｍｔ秒間で、ｍ個のチャンネルの一時保存画像がキャプチャされる。以下、同様の動作が繰り返され、ｍ個のチャンネルの永久保存画像および一時保存画像を記憶部４の各チャンネルの記憶領域に蓄積することができる。
【００３８】
次に、図５を参照してこの発明の一実施の形態における記憶部４の読み出し処理について説明する。読み出し処理は、表示制御部１５からの読み出し制御信号ＳＣ５によって制御される。なお、上述した書き込み処理と読み出し処理とは、並行してなされる。
【００３９】
図５は、チャンネルＸの記憶領域Ｍ１〜Ｍ５を示し、永久保存画像Ｐ３を記憶領域Ｍ２に書き込んでいるタイミングの状態を示す。書き込み中の記憶領域Ｍ２以外の記憶領域Ｍ１，Ｍ３，Ｍ４，Ｍ５に蓄積されている静止画が元の時間軸上の順序で読み出される。書き込みに要する時間は、１フィールドまたは１フレームの期間であるが、上述したように、次に書き込むタイミングは、チャンネル巡回周期後であり、その間は、記憶領域Ｍ１，Ｍ３，Ｍ４，Ｍ５に蓄積されている静止画の読み出しが継続してなされる。例えば各記憶領域の読み出しを１秒間継続するものとすると、図５の例では、チャンネルＸの表示領域には、Ｐ１，Ｐ２，Ｑ５，Ｑ６が１秒毎に切り替わる画像が表示されることになる。
【００４０】
図５において、番号を付した順序で巡回して読み出しがなされる。すなわち、永久保存画像Ｐ１が記憶領域Ｍ１から読み出され、次に、永久保存画像Ｐ２が記憶領域Ｍ５から読み出され、次に、一時保存画像Ｑ５が記憶領域Ｍ３から読み出され、次に、一時保存画像Ｑ６が記憶領域Ｍ４から読み出され、再び、記憶領域Ｍ１から永久保存画像Ｐ１が読み出される。各記憶領域からの画像の読み出しは、ユーザがある程度表示される画像の内容を認識できる程度の期間、繰り返してなされる。読み出された永久保存画像または一時保存画像が映像合成部５に供給され、多画面表示中のチャンネルＸの表示領域の画像として表示される。チャンネルＸ以外の他のチャンネルのそれぞれの静止画の読み出しも、記憶部４から時分割で行われ、読み出された静止画が映像合成部５に供給され、多画面表示中の他のチャンネルの表示領域の画像として表示される。
【００４１】
記憶部４から読み出される静止画の切り替えは、静止画のキャプチャおよび書き込みのタイミングに依存することなく任意のタイミングで行うことができる。複数のチャンネルを巡回して静止画をキャプチャする速度に比して、静止画の読み出し速度を非常に速いものとできる。したがって、蓄積済みの静止画を高速で順次連続して表示することにより、そのチャンネルの番組の内容を容易に理解することができる。
【００４２】
以上、この発明の一実施の形態について具体的に説明したが、この発明は、上述した一実施の形態に限定されるものではなく、この発明の技術的思想に基づく各種の変形が可能である。例えばこの発明は、チューナを２以上設けても良い。その場合には、受信可能チャンネルの巡回速度を高くすることができる。また、二つのチューナの一方を視聴する番組を選局するメインチューナとし、他方のチューナを静止画キャプチャ用のものとしても良い。
【図面の簡単な説明】
【００４３】
【図１】この発明の一実施の形態の全体的構成を示すブロック図である。
【図２】この発明の一実施の形態の一部の構成のブロック図である。
【図３】この発明の一実施の形態における画面表示例の説明に用いる略線図である。
【図４】この発明の一実施の形態における記憶部に対する書き込み処理の説明に用いる略線図である。
【図５】この発明の一実施の形態における記憶部からの読み出し処理の説明に用いる略線図である。
【符号の説明】
【００４４】
２    チューナ
３    静止画キャプチャ部
４    記憶部
５    映像合成部
６    表示部
１１  システムコントローラ
１３  ＥＰＧ記憶・解析部
１４  選局制御部
【図１】
2007288642.tif 000003
【図２】
2007288642.tif 000004
【図３】
2007288642.tif 000005
【図４】
2007288642.tif 000006
【図５】
2007288642.tif 000007